(57)【要約】      （修正有）【課題】  容器に収容された薬液等を効率よく吸引でき、かつ各機器が備えるゴムを破損させたり、内部にゴムの破片が入り込んだりすることのないカニューレを提供すること。【解決手段】  カニューレを、先端部が閉塞され先端側側部に開口が形成された筒状の鈍針を有するカニューレ本体２１と、カニューレ本体２１に対して液密的、かつ着脱自在に取り付けられるオーバーカニューレ２２とで構成した。そして、オーバーカニューレ２２を、カニューレ本体２１の被係合部に係合する係合部２６と、鈍針の先端方向に向かって延び先端部が開口した筒状部２７とで構成した。また、鈍針に、先端側の外径が基端側の外径よりも大きく設定されたテーパ状の抜け止め部を形成した。さらに、鈍針の先端部を略ドーム状に形成した。また、オーバーカニューレ２２の筒状体２７の内径を小さく設定した。【選択図】  図６
2005144054.tif 000002
【特許請求の範囲】
【請求項１】
先端部が閉塞され、先端側側部に開口が形成された筒状の鈍針を有するカニューレ本体と、前記カニューレ本体に対して液密的、かつ着脱自在に取り付けられるオーバーカニューレとを備えたカニューレであって、前記オーバーカニューレを、前記カニューレ本体における鈍針の基端側部分の外周面に係合する係合部と、前記鈍針の先端方向に向かって延び先端部が開口した筒状部とで構成したことを特徴とするカニューレ。
【請求項２】
前記鈍針に、先端側の外径が基端側の外径よりも大きく設定されたテーパ状の抜け止め部を形成した請求項１に記載のカニューレ。
【請求項３】
前記鈍針の先端部を、略ドーム状に形成した請求項１または２に記載のカニューレ。
【請求項４】
前記オーバーカニューレの先端側部分の内径を基端側部分の内径よりも小さく設定した請求項１ないし３のうちのいずれか一つに記載のカニューレ。
【請求項５】
前記オーバーカニューレの係合部に把持部を設けた請求項１ないし４のうちのいずれか一つに記載のカニューレ。
【発明の詳細な説明】
【技術分野】
【０００１】
本発明は、アンプル等の容器に収容された薬液等を吸引したり、吸引した薬液等を輸液ラインを介して患者に供給したりする際に用いられるカニューレに関する。
【背景技術】
【０００２】
従来から、バイアルやアンプル等の容器に収容された生理食塩水や薬液等を、先端にカニューレが取り付けられた注射器で吸引し、この薬液等を、患者の体に接続された輸液ラインの所定部分に注入することにより患者の体内に供給することが行われている。このカニューレの先端部は細い筒状の針で構成され、その筒状の針の先端に、注入・注出用の開口部が形成されている。このようなカニューレの先端部の針先を尖鋭に形成すると、医療従事者に刺さる等の事故が生じる虞があるため、安全性を考慮して、カニューレの先端部は、バイアルの蓋等を構成するゴムを刺すことができる程度の鋭利さを備えた形状の針（以下、このような形状の針を鈍針と記す。）で構成されている。
【０００３】
また、このようなカニューレの中に、カニューレの先端部を輸液ラインに設けられた医療用活栓のゴム部などに刺したときに、ゴム部の弾性や液圧によってカニューレが後退することを防止するための突部が形成されたものがある（例えば、特許文献１参照）。このカニューレでは、鈍針の外周部に円周に沿って突部が形成されている。
【特許文献１】特開２００２―１７８５３号公報
【発明の開示】
【０００４】
しかしながら、前述したカニューレでは、鈍針の先端が開口しているため、薬液等を吸引するために鈍針の先端部をバイアルのゴム蓋に刺したり、その薬液等を患者の体に供給するために鈍針の先端部を輸液ラインに設けられた医療用活栓のゴム部に刺したりすると、それらのゴムが開口の縁部によって削り取られて鈍針の内部に入り込むことがある。このため、医療用活栓のゴム部が破損するという問題や、ゴムの破片が患者の体内に入る虞があるという問題が生じている。
【０００５】
このような問題を回避するためには、鈍針の開口を鈍針の先端部でなく鈍針の先端側部分の側部に設けることが好ましいが、これによると、アンプルのようにゴムからなる蓋や栓を備えていない容器に収容された薬液等を吸引する際に、薬液等が容器の底部に残り、薬液等を効率よく吸引することができないという問題が生じる。
【０００６】
本発明は、このような事情に鑑みなされたもので、その目的は、容器に収容された薬液等を効率よく吸引でき、かつ各機器が備えるゴムを破損させたり、内部にゴムの破片が入り込んだりすることのないカニューレを提供することにある。
【０００７】
前述した目的を達成するため、本発明にかかるカニューレの構成上の特徴は、先端部が閉塞され、先端側側部に開口が形成された筒状の鈍針を有するカニューレ本体と、カニューレ本体に対して液密的、かつ着脱自在に取り付けられるオーバーカニューレとを備えたカニューレであって、オーバーカニューレを、カニューレ本体における鈍針の基端側部分の外周面に係合する係合部と、鈍針の先端方向に向かって延び先端部が開口した筒状部とで構成したことにある。
【０００８】
前述したように構成した本発明のカニューレでは、カニューレ本体の先端部を鈍針で構成するとともに、その鈍針の先端側の側部に開口を形成している。このため、鈍針をバイアルのゴム蓋や医療用活栓のゴム部に刺しても、針先は、そのゴム内を通過するだけで、ゴムを削り取って破損させることはない。このため、ゴムの破片が薬液等とともにカニューレ本体の内部に入り込むといった問題は生じなくなる。また、カニューレ本体の先端部は鈍針であるため、医療従事者にこの針先が刺さるといった問題も生じない。
【０００９】
さらに、このカニューレでは、先端部に開口が形成されたオーバーカニューレがカニューレ本体に対して着脱自在に取り付けられているため、アンプル等の容器に収容された薬液等を吸引する際には、カニューレ本体にオーバーカニューレを取り付けることにより、容器内の薬液等を残らず吸引することができる。すなわち、このカニューレは、アンプルのようにゴム蓋等を備えていない容器から薬液等を吸引する場合には、オーバーカニューレをカニューレ本体に取り付けて、オーバーカニューレの先端開口から鈍針を介して薬液等を吸引する。
【００１０】
また、バイアルのようにゴム蓋を備えた容器に収容された薬液等を吸引する場合や、ゴム部を備えた医療用活栓を介して患者の体内に薬液等を供給する場合には、カニューレ本体からオーバーカニューレを取り外して、鈍針の針先を直接、バイアルのゴム蓋や医療用活栓のゴム部に差し込み、薬液等を吸引したり供給したりする。これによって、種々の容器に収容された略すべての薬液等を容器内に残すことなく適正な状態で患者に供給することができる。
【００１１】
また、本発明にかかるカニューレの他の構成上の特徴は、鈍針に、先端側の外径が基端側の外径よりも大きく設定されたテーパ状の抜け止め部を形成したことにある。これによると、鈍針を医療用活栓のゴム部に差し込んで、患者に薬液等を供給する際に、ゴム部の弾性や薬液等の液圧によって、鈍針が医療用活栓から後退して外れることを防止できる。このため、薬液等の供給を適正な状態で行える。この抜け止め部は、鈍針の外周面全体をテーパ状にすることにより形成してもよいし、鈍針の外周面における所定部分に形成してもよい。
【００１２】
また、本発明にかかるカニューレのさらに他の構成上の特徴は、鈍針の先端部を、略ドーム状に形成したことにある。この場合の略ドーム状は、滑らかな曲面に限るものでなく、多少の段部や平面部を含むものであってもよい。全体としてドーム状に近い形状という意味であり、これによると、医療従事者に鈍針が刺さることを防止でき、かつバイアルのゴム蓋や医療用活栓のゴム部等には鈍針を容易に刺し込むことができる。
【００１３】
また、本発明にかかるカニューレのさらに他の構成上の特徴は、オーバーカニューレの先端側部分の内径を基端側部分の内径よりも小さく設定したことにある。オーバーカニューレの基端側部分は、鈍針に対応するため、鈍針に応じた所定の太さに設定されるが、先端側部分は、それよりも細く設定することが可能であり、これによって、オーバーカニューレの先端側部分、すなわち筒状部内の容積を小さくすることができる。オーバーカニューレは、ゴム蓋を備えていないアンプル等の容器から薬液等を効率的に吸引するためにカニューレ本体に取り付けられるものであり、その内部空間は、デッドスペースになる部分である。したがって、この筒状部の容積を小さくすることにより、さらに効率的な薬液等の吸引が可能になる。
【００１４】
また、本発明にかかるカニューレのさらに他の構成上の特徴は、オーバーカニューレの係合部に把持部を設けたことにある。これによると、把持部を手で持ってオーバーカニューレの操作を行えるため、カニューレ本体にオーバーカニューレを着脱する際の操作が容易になる。
【発明を実施するための最良の形態】
【００１５】
以下、本発明によるカニューレの各実施形態を図面を用いて詳しく説明する。
【００１６】
（第１実施形態）
図１は、本発明の第１実施形態に係るカニューレ２０を備えた注射器１０を示している。この注射器１０は、生理食塩水や薬液等を収容するためのシリンダー部１１と、シリンダー部１１内に薬液等を吸引するためのピストン部１２とを備えている。シリンダー部１１は、表面に目盛りが施された円筒体からなるシリンダー本体１３と、シリンダー本体１３の先端に形成された細径円筒状の被取り付け部１４と、シリンダー本体１３の後端部の外周に形成されたフランジ状の指当て部１５とで構成されている。ピストン部１２は、先端に形成されたゴム部をシリンダー本体１３の内周面に摺接させた状態でシリンダー部１１内に移動可能に取り付けられた円柱状部１６と円柱状部１６の後端部に形成された円板状の操作部１７とで構成されている。
【００１７】
そして、被取り付け部１４にカニューレ２０が着脱可能な状態で取り付けられている。カニューレ２０は、カニューレ本体２１とカニューレ本体２１に着脱可能な状態で取り付けられたオーバーカニューレ２２とで構成されている。カニューレ本体２１とオーバーカニューレ２２は、ともに略円筒体で構成され、カニューレ本体２１の内部には、中心軸に沿って液体流路２１ａが形成され、オーバーカニューレ２２の内部には中心軸に沿って液体流路２１ａに連通する液体流路２２ａが形成されている。また、カニューレ本体２１は、被取り付け部１４の外周面に液密的に取り付けられる円筒状の取り付け部２３を備えており、その先端側に、図２に示したように、被係合部２４を介して鈍針２５が形成されている。
【００１８】
被係合部２４は、被取り付け部１４と同程度の直径に設定された円筒状に形成され、鈍針２５は、被係合部２４よりもさらに細径の円筒状に形成されている。鈍針２５の内部に形成された液体流路２１ａは、一定の内径に形成されているが、鈍針２５の外周部は、図３に示したように、基端部から先端側に向って徐々に大径になるテーパ状に形成されている。そのテーパの角度θは、０．２５度〜４度に設定されている。また、鈍針２５の先端部２５ａは、先端側が徐々に細くなった２段状の傾斜部（基端側が円錐台形で、先端側が円錐形）で構成され、全体形状が略ドーム状に形成されている。そして、鈍針２５の先端側部分の側部に、液体流路２１ａに通じる開口２５ｂが形成されている。鈍針２５のテーパによって、本発明の抜け止め部が構成される。
【００１９】
オーバーカニューレ２２は、被係合部２４の外周面に液密的に係合可能な円筒状の係合部２６と、係合部２６の先端部から前方に向かって延びる細径の筒状部２７とで構成されている。筒状部２７は、基端部から先端側にいくに従って徐々に細くなったテーパ状に形成されており、内部に形成された液体流路２２ａもそのテーパ状に伴って先端側が細くなるように形成されている。そして、筒状部２７の先端に液体流路２２ａの開口（図示せず）が形成されている。また、カニューレ本体２１およびオーバーカニューレ２２は、ともに熱可塑性樹脂材料を用いた成形品で構成されている。
【００２０】
この構成において、カニューレ２０が取り付けられた注射器１０を用いて、例えば、図４に示したアンプル３１内の薬液３２を吸引する場合には、まず、アンプル３１をくびれ３１ａに沿って折り曲げて、アンプル本体３１ｂから上部の閉塞部３１ｃを取り除く。つぎに、上端が開口したアンプル本体３１ｂの開口から、アンプル本体３１ｂ内にオーバーカニューレ２２の先端部を挿入し、筒状部２７の開口部を薬液３２に浸けた状態で、注射器１０のピストン部１２をシリンダー部１１から引き抜きながら上方に移動させる。
【００２１】
これによって、アンプル本体３１ｂ内の薬液３２は徐々に、注射器１０のシリンダー本体１３内に吸引されていく。この際、低下していく薬液３２の液面高さに応じて注射器１０をアンプル本体３１ｂ内の下方側に移動させる。そして、図５に示したように、殆どの薬液３２を吸引して、筒状部２７の先端部がアンプル本体３１ｂの底部に到達すると、図６のようにアンプル本体３１ｂを傾倒させ、アンプル本体３１ｂの上部側に形成された窪みの部分に残りの薬液３２を溜める。
【００２２】
そして、注射器１０をアンプル本体３１ｂ内から引き出して、筒状部２７の先端開口部を、薬液３２の中に浸け、再度、ピストン部１２をシリンダー部１１から引き抜くように後退させることにより、残りの薬液３２をシリンダー本体１３内に吸引させる。これによって、アンプル３１内の薬液３２の殆どを注射器１０で吸引することができる。
【００２３】
つぎに、注射器１０に吸引した薬液３２を患者（図示せず）の体内に供給する場合について説明する。図７は、患者の体に接続された輸液ライン３３が備える三方活栓３４を示しており、この三方活栓３４を介して薬液３２は患者に供給される。三方活栓３４は、可撓性のチューブ３３ａ，３３ｂを直線状に接続する分岐管３４ａ，３４ｂと、分岐管３４ａ，３４ｂ間に形成されたチャンバ部３５と、チャンバ部３５から分岐管３４ａ，３４ｂに対して直交して延びる分岐管３４ｃとを備えている。そして、チャンバ部３５内には、弁体３６が回転自在に設置されており、この弁体３６を操作レバー（図示せず）の操作によって回転させることにより、分岐管３４ａ，３４ｂ，３４ｃ間における連通ルートを適宜切り換えることができる。
【００２４】
また、分岐管３４ｃの内部には、天然ゴムまたは合成ゴムからなる弾性体（図示せず）が設置されている。この弾性体には、チャンバ部３５の内部側と分岐管３４ｃの外部側との間を貫通するスリットが設けられているが、通常時には、弾性体の弾性によってスリットは閉塞された状態になる。注射器１０内に吸引した薬液３２を患者に供給する際には、弁体３６を回転させて、分岐管３４ｃと、患者側に接続された分岐管、例えば、分岐管３４ａとを連通させる。
【００２５】
そして、注射器１０からオーバーカニューレ２２を取り外し、鈍針２５を分岐管３４ｃ内の弾性体のスリットに刺し込む。これによって、鈍針２５の開口２５ｂは、チャンバ部３５内に位置し、注射器１０内の薬液３２を輸液ライン３３に供給可能な状態になる。その状態で、注射器１０のピストン部１２を、シリンダー部１１内に押し込むことにより、薬液３２は、チャンバ部３５から分岐管３４ａおよびチューブ３３ａ等を介して、患者の体内、例えば血管内に供給される。
【００２６】
この場合、鈍針２５にテーパからなる抜け止め部が形成されているため、鈍針２５が弾性体から後退して外れることを防止できる。また、開口２５ｂは鈍針２５の側部に形成されているため、鈍針２５を弾性体に刺し込む際、弾性体が、鈍針２５の先端部２５ａおよび開口２５ｂの縁部によって削り取られて破損するといったことは生じない。したがって、削り取られた弾性体の破片が、薬液３２とともに患者の体内に送られるといったことも生じず、薬液３２は適正な状態を維持したまま患者の体内に供給される。また、注射器１０から取り外されたオーバーカニューレ２２の筒状部２７内には、多少の薬液３２が残るが、筒状部２７は細く、内部の容積が小さくなるように設定されているため、その量は特に問題にならない。
【００２７】
図８は、バイアル３７に収容された薬液３２ａをカニューレ本体２１が取り付けられた注射器１０で吸引している状態を示している。このバイアル３７では、蓋３７ａがゴム製のキャップ部とキャップ部の周囲を固定するアルミニウム製の枠部（図示せず）で構成されている。この場合には、オーバーカニューレ２２は使用せず、鈍針２５を直接蓋３７ａの中央部に刺し込んで、開口２５ｂをバイアル３７内に位置させる。そして、バイアル３７を注射器１０とともに、上下に反転させて、鈍針２５の先端側部分を薬液３２ａに浸ける。その状態で、注射器１０のピストン部１２をシリンダー部１１から下方に引いて、シリンダー本体１３内に薬液３２ａを吸引する。
【００２８】
この場合も、鈍針２５を蓋３７ａに刺し込む際、開口２５ｂの縁部によって、蓋３７ａが削り取られることはない。また、バイアル３７の上下を反転させて薬液３２ａを抜き取るため、バイアル３７内の薬液３２ａの殆どを効率よく注射器１０内に吸引することができる。注射器１０に吸引された薬液３２ａは、図７に示した輸液ライン３３を用い、前述した方法によって、患者の体内に供給される。
【００２９】
このように、本実施形態に係るカニューレ２０では、鈍針２５の先端側側部に開口２５ｂを形成しているため、鈍針２５を三方活栓３４の弾性体やバイアル３７の蓋３７ａに刺しても、鈍針２５が弾性体や蓋３７ａを削り取って破損させることはない。また、鈍針２５の先端部２５ａが２段状の傾斜部に形成されて、尖鋭な形状になっていないため、医療従事者にこの鈍針２５が刺さるといった問題も生じない。
【００３０】
また、このカニューレ２０では、先端部に開口が形成されたオーバーカニューレ２２がカニューレ本体２１に対して着脱自在に取り付けられているため、アンプル３１内の薬液３２を吸引する際には、薬液３２を残らず吸引することができる。さらに、鈍針２５は、先端側の外径が基端側の外径よりも大きく設定されたテーパ状に形成されているため、鈍針２５を三方活栓３４の弾性体に差し込んだ際に、鈍針２５が弾性体から後退して外れることを防止できる。このため、薬液３２等の供給を適正な状態で行える。
【００３１】
（第２実施形態）
図９は、本発明の第２実施形態に係るカニューレ４０を備えた注射器１０を示している。このカニューレ４０では、オーバーカニューレ４２の係合部４６の後端部に、把持部４８が形成されている。この把持部４８は、係合部４６の後端部から軸方向に直交してそれぞれ反対側の方向に向って延びた２個の突起で構成されている。また、筒状部４７の長さは、筒状部２７の長さよりも長く設定されて、アンプル本体３１ｂの高さ方向の長さよりも長くなっている。このカニューレ４０のそれ以外の部分の構成については、前述したカニューレ２０と同一である。したがって、同一部分に同一符号を記している。
【００３２】
このように構成したことにより、オーバーカニューレ４２をカニューレ本体２１に対して着脱する際に、把持部４８を手で持ってオーバーカニューレ４２の操作をすることができるようになり、その着脱操作が容易になる。また、このカニューレ４０が取り付けられた注射器１０を用いて、アンプル３１内の薬液３２を吸引する場合には、図１０に示したように、注射器１０側の部分をアンプル本体３１ｂ内に入れることなく、筒状部４７だけをアンプル本体３１ｂ内に入れて薬液３２の吸引を行う。
【００３３】
そして、アンプル本体３１ｂの底部に残った薬液３２を吸引する場合には、前述した実施形態と同様、図１１に示したように、アンプル本体３１ｂを傾倒させて、アンプル本体３１ｂの窪んだ部分に溜まった薬液３２を吸引する。これによっても殆どの薬液３２を注射器１０内に吸引することができる。このカニューレ４０のそれ以外の作用効果については、前述した実施形態に係るカニューレ２０と同様である。
【００３４】
また、本発明に係るカニューレは、前述した各実施形態に限定するものでなく、適宜変更実施が可能である。例えば、前述した実施形態では、筒状部２７，４７の先端部がアンプル本体３１ｂの底部に届くようにしているが、この筒状部２７，４７の長さを、短く設定して、容器の底部に届かないようにすることもできる。この場合も、図６および図１１に示したように、アンプル本体３１ｂを傾倒させることにより、アンプル本体３１ｂの底部に残った薬液３２を効率よく吸引することができる。また、鈍針２５の先端部２５ａの形状や把持部４８の形状も前述した実施形態に限らず、適宜、実施に応じて変更が可能である。さらに、筒状部２７，４７にはテーパが形成されているが、このテーパを形成せず、全体が同径に形成された細い管状体で筒状部を構成することもできる。
【図面の簡単な説明】
【００３５】
【図１】本発明の第１実施形態に係るカニューレが取り付けられた注射器を示す正面図である。
【図２】図１に示したカニューレからオーバーカニューレを取り外した状態を示す正面図である。
【図３】カニューレが備える鈍針を示す正面図である。
【図４】薬液を収容するアンプルを示す正面図である。
【図５】図１に示した注射器でアンプル本体の薬液を吸引する状態を示す正面図である。
【図６】図１に示した注射器で傾倒させたアンプル本体内に残った薬液を吸引する状態を示す正面図である。
【図７】図２に示した注射器から輸液ラインに薬液を供給する状態を示す一部切欠き正面図である。
【図８】図２に示した注射器でバイアルの薬液を吸引する状態を示す正面図である。
【図９】第２実施形態に係るカニューレが取り付けられた注射器を示す正面図である。
【図１０】図９に示した注射器でアンプル本体の薬液を吸引する状態を示す正面図である。
【図１１】図９に示した注射器で傾倒させたアンプル本体内に残った薬液を吸引する状態を示す正面図である。
【符号の説明】
【００３６】
２０，４０…カニューレ、２１…カニューレ本体、２１ａ，２２ａ…液体流路、２２，４２…オーバーカニューレ、２３…取り付け部、２４…被係合部、２５…鈍針、２５ａ…先端部、２５ｂ…開口、２６，４６…係合部、２７，４７…筒状部、４８…把持部。
【図１】
2005144054.tif 000003
【図２】
2005144054.tif 000004
【図３】
2005144054.tif 000005
【図４】
2005144054.tif 000006
【図５】
2005144054.tif 000007
【図６】
2005144054.tif 000008
【図７】
2005144054.tif 000009
【図８】
2005144054.tif 000010
【図９】
2005144054.tif 000011
【図１０】
2005144054.tif 000012
【図１１】
2005144054.tif 000013